(57)【要約】【課題】ガラスウインドーのような平滑な壁面に対し繰り返し吸着させて使用することができ、しかも保形性が良好で扱い易く且つ巻き癖が付き難く、常に正確に対象者の像を映し出すことができる巻き込みを可能とした貼るミラーを提供する。【解決手段】光透過性の良好なポリエチレンテレフタレート樹脂製のフィルム基材２の一方の面にアルミ蒸着によって反射面３を形成すると共に、当該フィルム基材２の他方の面にハードコート層４を形成してなるミラーフィルムの非反射面側に、耐水性を有する所要の厚みをもった保形および巻き癖防止用のクッション体５を介して微細な吸着部を多数形成した吸着層６を形成した。当該吸着層６をガラスウインドーのような平滑な壁面に吸着させ、ダンス練習、ヨガ、ストレッチ、あるいは着付用の姿見として利用できるようにすると共に、使用後は壁面から剥がして小さく巻き込めるようにした。【選択図】図１
0003197859.tif 000002
【実用新案登録請求の範囲】
【請求項１】
光透過性の良好なポリエチレンテレフタレート樹脂製のフィルム基材の一方の面にアルミ蒸着によって反射面を形成すると共に、当該フィルム基材の他方の面にハードコート層を形成してなるミラーフィルムの非反射面側に、耐水性を有する所要の厚みをもった保形および巻き癖防止用のクッション体を介して微細な吸着部を多数形成した吸着層を形成してなり、当該吸着層をガラスウインドーや、鉄、アルミ、ポリエステル樹脂、ポリ塩化ビニル樹脂、あるいはポリプロピレン樹脂によって形成された平滑な壁面に吸着させ、ダンス練習、ヨガ、ストレッチ、あるいは着付用の姿見として利用できるようにすると共に、使用後は壁面から剥がして小さく巻き込めるようにしたことを特徴とする巻き込み可能な貼るミラー。
【請求項２】
前記クッション体がポリプロピレン樹脂を延伸加工によって処理した厚さ０．０７ｍｍ〜０．１５ｍｍの合成紙からなることを特徴とする請求項１に記載の巻き込み可能な貼るミラー。
【請求項３】
前記フィルム基材の他方の面に形成するハードコート層はプライマーコート処理を施した後、トップコート剤のアクリル系またはシリコン系のハードコート剤を塗布したものであることを特徴とする請求項１に記載の巻き込み可能な貼るミラー。
【考案の詳細な説明】
【技術分野】
【０００１】
本考案は、バレーやダンス、ヨガ、体操の練習、あるいは着物の着付用の姿見として利用できるミラーに係り、特に軽量且つ巻き込みを可能とした貼るミラーの改良に関する。
【背景技術】
【０００２】
バレーやダンスの練習、あるいはヨガ、ストレッチ等の際には自身の動作を確認するため鏡が不可欠である。また、着物の着付の際にも姿見が必要である。
しかしながら、全身の動きや姿勢を正確に捉えるためには大型の姿見が必要であり、設備に可成りの費用を要するという問題点がある。
このような問題点を解消するための改良されたミラーないし姿見などが次に示す特許文献１および特許文献２に開示されている。
【０００３】
特許文献１に開示された携帯用姿見鏡は、シート状の鏡を巻取ってケースに収納して携帯し必要に応じてケースから取出して壁面等に吊して大型の鏡とし着替えの際に姿見として利用できるようにしたものである。
【０００４】
また、特許文献２に開示された巻物状の姿見は、鏡面ガラスや鏡面金属、ミラー状のポリカーボネイト、ミラーシート等を張った長方形の鏡を複数枚連結して巻物状に収納できるようにして携帯を可能としたものである。
【先行技術文献】
【特許文献】
【０００５】
【特許文献１】実開平１−１２６１５９号公報
【特許文献２】実用新案登録第３１０８３２７号公報
【考案の概要】
【考案が解決しようとする課題】
【０００６】
特許文献１に開示された携帯用姿見鏡は、金属シートの鏡を所要の寸法に切取ったものを上下の桟で挟み、上の桟を紐で壁面等に吊し、下の桟に巻取ってある薄いシートを延して垂直な面となし、大型の鏡面を作ることができるとしても、壁面と鏡面の間は開いているため、風などによって鏡面が揺動すると自身の正確な動作を確認できなくなるという問題点がある。また、鏡面の揺動を抑えるため上および下の桟を大きなものにすると重量が増えて携行に支障を来すという欠点がある。さらに、金属シートの鏡の場合、経時的に巻き癖が付いて像が歪んだりするという問題点がある。
【０００７】
また、特許文献２に開示された巻物状の姿見は、鏡面ガラスや鏡面金属、ミラー状のポリカーボネイト、ミラーシートなどを長方形状に裁断しなければならないと共に、フェルトや不織布等柔軟な素材のシート上に長方形状の鏡を整列させて連結しなければならず作製に手間が掛かるという問題点がある。さらに、長方形状の鏡を並列させて巻き込み可能としたものであるため、拡げて姿を映し出したとき姿が不連続となって正確に動作などを確認できなくなるおそれがある。
【０００８】
本考案は、前記した従来の巻き込みを可能とした姿見などのミラーに伴う諸種の問題点を解決し、ガラスウインドーや、アルミニウム、鉄などの金属、あるいはポリエステル樹脂、ポリ塩化ビニル樹脂などの高分子材料によって形成された平滑な壁面に対し繰り返し吸着させて使用することができ、しかも保形性が良好で扱い易く且つ巻き癖が付き難く、常に正確に対象者の像を映し出すことができる巻き込みを可能とした貼るミラーを提供することを目的とするものである。
【課題を解決するための手段】
【０００９】
上記課題を解決するための本考案の構成を詳述すれば、請求項１に係る考案は、光透過性の良好なポリエチレンテレフタレート樹脂製のフィルム基材の一方の面にアルミ蒸着によって反射面を形成すると共に、当該フィルム基材の他方の面にハードコート層を形成してなるミラーフィルムの非反射面側に、耐水性を有する所要の厚みをもった保形および巻き癖防止用のクッション体を介して微細な吸着部を多数形成した吸着層を形成してなり、当該吸着層をガラスウインドーや、鉄、アルミ、ポリエステル樹脂、ポリ塩化ビニル樹脂、あるいはポリプロピレン樹脂によって形成された平滑な壁面に吸着させ、ダンス練習、ヨガ、ストレッチ、あるいは着付用の姿見として利用できるようにすると共に、使用後は壁面から剥がして小さく巻き込めるようにしたことを特徴とする巻き込み可能な貼るミラーである。
【００１０】
また、請求項２に係る考案は、前記クッション体がポリプロピレン樹脂を延伸加工によって処理した厚さ０．０７ｍｍ〜０．１５ｍｍの合成紙からなることを特徴とする請求項１に記載の巻き込み可能な貼るミラーである。
【００１１】
さらに、請求項３に係る考案は、前記フィルム基材の他方の面に形成するハードコート層はプライマーコート処理を施した後、トップコート剤のアクリル系またはシリコン系のハードコート剤を塗布したものであることを特徴とする請求項１に記載の巻き込み可能な貼るミラーである。
【考案の効果】
【００１２】
上述のように本考案に係る巻き込み可能な貼るミラーによれば、ミラーフィルムの非反射面側に、耐水性を有する所要の厚みをもった保形および巻き癖防止用のクッション体を介して微細な吸着部を多数形成した吸着層を形成してなるものであるから、当該吸着層をガラスウインドーなどの平滑な壁面に簡単に吸着させることができ、ダンス練習や、ヨガ、ストレッチ、あるいは着付用の姿見として利用できると共に、使用後は壁面から簡単に剥がして小さく巻き込むことができる。
【００１３】
特に、ミラーフィルムと吸着層の間に耐水性を有するクッション体を介在させているのでミラーフィルムの保形性が向上すると共に、巻き癖が付き難くなるという効果が得られる。また、吸着層の吸着力を維持するため水などで吸着層を拭いたとしても水分が耐水性を有するクッション体によって遮断されるのでミラーフィルムに浸透するのを防ぐことができ、長期に亘って繰り返し使用することが可能となる。
【図面の簡単な説明】
【００１４】
【図１】本考案に係る巻き込み可能な貼るミラーの一実施形態を示す部分拡大断面図である。
【図２】本考案に係る巻き込み可能な貼るミラーを手のひらを使って平滑な壁面に吸着させるときの説明図である。
【図３】本考案に係る巻き込み可能な貼るミラーを紙管を使って平滑な壁面に吸着させるときの説明図であり、（Ａ）は吸着途中を示し、（Ｂ）は下端付近まで吸着させた状態を示すものである。
【考案を実施するための形態】
【００１５】
以下、本考案に係る巻き込み可能な貼るミラーの具体的構成を図示の実施形態に基づいて詳細に説明する。
【００１６】
なお、以下に示す実施形態は、本考案の技術思想を具体化するための一例を示すものであって、本考案は以下の説明及び図示したものに限定されないのは言うまでもない。また、ミラーの断面形状や外観形態などは、特定的な記載がない限り、本考案の範囲をそれのみに限定する趣旨ではなく、単なる例示に過ぎないものである。なお、拡大断面図については説明を明確にするためある程度誇張して描いてある。
【００１７】
図中１は本考案に係るミラー本体であり、２は当該ミラー本体１のベースとなる光透過性の良好なポリエチレンテレフタレート樹脂製のフィルム基材を示す。ポリエチレンテレフタレート樹脂製のフィルム基材２は５０μ程度の厚さを有するものが好適に用いられるが、３８μ〜１００μの範囲内の厚さのものであれば適用可能である。また、外形寸法については横方向３００ｍｍ〜９００ｍｍ、縦方向寸法９００ｍｍ〜１５００ｍｍの範囲内で裁断されたものが好適に用いられる。
【００１８】
図中３はフィルム基材２の一方の面にアルミの真空蒸着によって成膜された反射面であり、４はフィルム基材２の他方の面に形成されたハードコート層を示す。
当該ハードコート層４はポリエチレンテレフタレート樹脂製のフィルム基材２の表面に傷などが付くのを防ぐためのものであり、前処理剤によるプライマーコート処理を行った後、トップコート剤のアクリル系またはシリコン系のハードコート剤を塗布して形成したものである。
【００１９】
前記したように、厚さ５０μ程度のポリエチレンテレフタレート樹脂製のフィルム基材２の一方の面にアルミ蒸着膜（反射面３）を形成し、他方の面にハードコート層４を形成することによってミラーフィルムが得られるが、このミラーフィルムの状態のままではしなやかではあるが、折れ目や皺が入り易く非常に扱い難い。また、当然ながらこのミラーフィルムの状態では壁面に貼り付けることができない。
【００２０】
そのため、本考案においては、ミラーフィルムの非反射面側、すなわちアルミ蒸着膜の背面側に、耐水性を有するある程度の厚みをもった保形および巻き癖防止用のクッション体５を介して吸着層６を形成するようにしたものである。
【００２１】
耐水性を有するクッション体５はポリプロピレン樹脂を二軸延伸加工によって処理した厚さ０．０７ｍｍ〜０．１５ｍｍ程度の合成紙が好適に用いられる。クッション体５は延伸加工によって微細な亀裂が多数形成される関係で比重が低下し、これによって軽量化が可能となる。
【００２２】
なお、クッション体５の厚みを０．０７ｍｍ以下とした場合はミラーフィルムの保形性が低下し、０．１５ｍｍ以上とした場合は巻き込んだり、壁面に取付けたりする際の作業性が悪くなるので、ポリプロピレン樹脂を延伸加工によって処理した厚さ０．０７ｍｍ〜０．１５ｍｍ程度の合成紙が好適に用いられる。
【００２３】
吸着層６はアクリル系樹脂発泡体からなり、表面全体に微細な吸着部となるセル（空室）が多数形成されていて、ガラスウインドーのような平滑面に圧着すると微細なセル内の空気が排出されて当該平滑面に吸盤のように密着してミラーフィルムを安定して壁面に取付けることが可能となる。
【００２４】
ミラーフィルムの非反射面側に保形および巻き癖防止用のクッション体５を介して吸着層６を形成するにあたっては、あらかじめクッション体５の一方の側に吸着層６を一体的に形成したものを用意しておいて、当該クッション体５と吸着層６が一体化されたものを、吸着層６が外側となるようにしてクッション体５の全面を例えばアクリル系粘着剤を用いてミラーフィルムの非反射面側に貼り付けることにより実現することができる。
【００２５】
なお、ミラーフィルムを壁面に取付ける際に重要な役目をする吸着層６は従来の接着剤や粘着剤の場合と異なり、吸着層６を対象となる平滑面に押圧することによって吸着層６に形成されているきわめて多数の微細な吸着部となるセル内の空気が排出されて当該平滑面に吸盤のように吸着するものであって、貼り付けた後に気泡が残り難く、密着性が良好で、しかも繰り返し使用することができる。
【００２６】
本考案に係る巻き込み可能なミラーの使用にあたっては、図２に示すように
巻き込んであったミラー本体１を解き、ガラスウインドーなどの壁面７の所望の箇所に手のひらを使って四方に延ばしながらミラー本体１を軽く壁面方向に押し付けるようにする。すると、ミラー本体１の吸着層６に形成されている微細なセル内の空気が排出されて壁面にミラー本体１を密着させることができる。
なお、ミラーフィルムと吸着層の間には所要の厚みをもったクッション体５が設けられているので、ミラーフィルムの保形性が向上し、扱い易くなると共に巻き癖が付くのを防ぐことができる。
【００２７】
ミラー本体１を壁面７に吸着させるにあたっては、前記した手のひらを使って取付ける方法の他、図３に示すように紙管８を用いるようにしてもよい。
すなわち、図３（Ａ）に示すように、ミラー本体１をあらかじめ紙管８に巻き付けておいて、ミラー本体１の上端縁を対象となる壁面７に圧着させ、紙管８の両端部を手で掴んで押し下げながら壁面に吸着させていき、図３（Ｂ）に示すように終端部のところでミラー本体１を紙管８で押し付ければ簡単に壁面７に密着させることができる。
【００２８】
ミラー本体１の繰り返し使用によって吸着層６に形成してある微細なセルが次第に汚れて吸着力が低下してきたときは、水を含浸させた布を用いてセルの汚れを取り除くことにより、再び吸着力を回復させることができる。この汚れを取り除く際に布に含ませた水分がミラーフィルム方向に浸透するとアルミ蒸着膜に変色を生ずるおそれがある。しかしながら、前記したように微細なセルを多数形成した吸着層６は耐水性を有する所要の厚みをもったクッション体５を介してミラーフィルムに形成してあるのでこのような不具合を回避することができる。
【００２９】
以上のように、本考案巻き込み可能な貼るミラーによれば、不使用時には小さく巻き込んでおくことができ邪魔にならず、必要時には簡単な操作で平滑な壁面に密着させてミラーとして用いることができ、バレーやダンス、ヨガ、体操の練習などにきわめて有用である。また、重くて割れる心配のある高価な姿見を用意しなくても、適宜の場所で着物の着付用の姿見として利用することができ従来にない効果を奏することができる。
【符号の説明】
【００３０】
１：ミラー本体
２：フィルム基材
３：反射面
４：ハードコート層
５：クッション体
６：吸着層
７：壁面
８：紙管
【図１】
0003197859.tif 000003
【図２】
0003197859.tif 000004
【図３】
0003197859.tif 000005